(57)【特許請求の範囲】
【請求項１】
基礎上に設置されたすべり板と、構造物に固定されたすべり支承本体と、前記すべり支承本体の底面に固着されて前記すべり板上を摺動する滑り材とからなるすべり支承における、前記すべり板の全面を覆う防塵カバーであって、
可撓性を備えた２枚のゴム又はプラスチック製シートの各一端縁を、互いに重ね合わせの状態で分離自在に接合すると共に、前記各一端縁の中央部分に、前記すべり支承本体に嵌入しうる大きさの、１つの開口を形成する半形の開口をそれぞれ設け、
前記シートとは異なる材料により、両端にビス取付孔を有するＬ字状断面の帯状に形成され、前記シートの前記各半形の開口の周縁に沿って装着されてなり、前記各半形の開口の周縁に沿って、それぞれ前記すべり支承本体の外周に巻装され、かつ着脱自在に係止される締付け部を設けたことを特徴とするすべり支承用防塵カバー。
【請求項２】
前記シートは、酸素指数が２４以上の難燃性ポリエステルフィルムにより形成したものであることを特徴とする請求項１記載のすべり支承用防塵カバー。
【請求項３】
前記シートは、肉厚０．１０〜１．０ｍｍの可撓性を備えたゴム又はプラスチックフィルムからなるものであることを特徴とする請求項１または２記載のすべり支承用防塵カバー。
【発明の詳細な説明】
【０００１】
【発明の属する技術分野】
本発明は、ビルディング、戸建て住宅、橋梁、その他摺動構造を利用した部材に使用されるすべり支承のすべり板に塵埃等の異物が付着することを防止するすべり支承用防塵カバーに関する。
【０００２】
【従来の技術】
すべり支承は、四フッ化エチレン樹脂等の低摩擦材料からなる滑り材と、研磨したステンレス板からなるすべり板とを備え、建物等の構造物と基礎との間に設置されている。
滑り材は構造物の下面に配置され、すべり板は基礎側に配設される。地震には構造物が滑り材を介してすべり板上を滑ることで地震による水平エネルギを消費させ、構造物を地震力から保護する。
なお、すべり支承において、特に滑り材側にゴム単体または鋼板とゴムの積層体を付加したものは弾性すべり支承と呼ばれている。
【０００３】
すべり支承の性能は摺動時の滑り面の摩擦係数で表される。この摩擦係数は滑り材とすべり板の接触面の状態に影響を受け易い。設計通りの摩擦係数を維持していくためには、平滑な滑り面を維持する必要がある。摺動時に異物が滑り材とすべり板との間に巻き込まれると、滑り面を傷付けるおそれがある。
そのため、常時、上向きになっているすべり板の滑り面を埃や異物が付着しないように、すべり板上に防塵カバーを被せることが行われている。
従来、この種の防塵カバーとして、例えば特開平１１−２３６９４２号公報に示されるように矩形状の箱体で製作したもの、特開平１０−３０６６１７号公報に示されるように変形のしにくい剛性体でスカート状に構成したもの等が知られている。
【０００４】
【発明が解決しようとする課題】
上記のような従来の技術には、次のような解決すべき課題があった。
すなわち、矩形状の箱体で製作したものは、強度はあるが重量が大きくなるため、定期あるいは不定期に行われるカバー内のすべり支承本体の点検時の脱着に手間がかかる。そしてカバー重量が大きいと、すべり板との接触面に傷を付けるおそれがあった。そのため滑り面から浮かせる工夫が必要であった。
【０００５】
また、変形のしにくい剛性体でスカート状に構成したものは、カバー摺動面に、すべり板取付用のボルト等の突起部があると動きが拘束され、あるいは破損するおそれがあった。
なお、すべり板取り付け用のボルトとは、図４に示すベースプレート２５とすべり板１３を繋ぐボルト２６であり、将来何らかの理由ですべり板１３を交換する際に、このボルト２６を外して交換することになる。
【０００６】
本発明は、上記の課題を解消するためになされたもので、通常の使用状態では塵埃等の異物の侵入を防止することはもとより、すべり支承の点検等の際には容易に脱着することができ、すべり支承の移動に伴ってスムーズに応動し復元するすべり支承用防塵カバーを提供することを目的とする。
【０００７】
【課題を解決するための手段】
本発明は前記目的を達成するため、次のような構成を有する。
【０００８】
＜構成１＞
基礎上に設置されたすべり板と、構造物に固定されたすべり支承本体と、前記すべり支承本体の底面に固着されて前記すべり板上を摺動する滑り材とからなるすべり支承における、前記すべり板の全面を覆う防塵カバーであって、可撓性を備えた２枚のゴム又はプラスチック製シートの各一端縁を、互いに重ね合わせの状態で分離自在に接合すると共に、前記各一端縁の中央部分に、前記すべり支承本体に嵌入しうる大きさの、１つの開口を形成する半形の開口をそれぞれ設け、前記各半形の開口の周縁に沿って、それぞれ前記すべり支承本体の外周に巻装され、かつ着脱自在に係止される締付け部を設けたことを特徴とするすべり支承用防塵カバー。
【０００９】
＜構成２＞
構成１記載のすべり支承用防塵カバーにおいて、前記シートは、酸素指数が２４以上の難燃性ポリエステルフィルムにより形成したものであることを特徴とするすべり支承用防塵カバー。
【００１０】
＜構成３＞
構成１または２記載のすべり支承用防塵カバーにおいて、前記シートは、肉厚０．１０〜１．０ｍｍの可撓性を備えたゴム又はプラスチックフィルムからなるものであることを特徴とするすべり支承用防塵カバー。
【００１１】
＜構成４＞
構成１ないし３のいずれかに記載のすべり支承用防塵カバーにおいて、前記締付け部は、前記シートとは異なる材料により、両端にビス取付孔を有するＬ字状断面の帯状に形成され、前記シートの前記各半形の開口の周縁に沿って装着されたことを特徴とするすべり支承用防塵カバー。
【００１２】
【発明の実施の形態】
以下、本発明のすべり支承用防塵カバーにおける実施の形態例について図面を参照して説明する。
図１は本発明の一実施例を示している。本発明の防塵カバー１０は、例えば図１に示されるすべり支承１１に使用される。すなわち、すべり支承１１は、基礎１２上に設置されたすべり板１３と、建物等の構造物（図示せず）に固定されたすべり支承本体１４と、このすべり支承本体の底面に固着されてすべり板１３上を摺動する滑り材１５とから構成されている。
【００１３】
防塵カバー１０は、肉厚０．１０〜１．０ｍｍの２枚のゴム又はプラスチック製シート１６ａ、１６ｂを組み合わせてなるものである。
シート１６ａ、１６ｂは、可撓性を有し、薄肉で軽量な材料により形成されることが望ましい。
防塵カバー１０の詳細を図２に示している。図２において、シート１６ａ、１６ｂは肉厚が０．２ｍｍのポリエステルフィルムからなり、酸素指数が２４の難燃性を備えている。
【００１４】
これら２枚のシート１６ａ、１６ｂは、対向する各一端縁１７ａ、１７ｂを、互いに重ね合わせただけの状態で分離自在に接合される。また、接合された各一端縁１７ａ、１７ｂの中央部分に、円柱形のすべり支承本体１４に嵌入しうる大きさであって、合わせて１つの円形開口を形成する半円形の開口１８ａ、１８ｂがそれぞれ設けられている。
なお、すべり支承が四角柱の場合は、シート１６ａ、１６ｂの開口もそれに合わせた四角形となる。
【００１５】
各半円形開口１８ａ、１８ｂの周縁に沿って、それぞれすべり支承本体１４の外周に巻装される締付け部２０ａ、２０ｂが設けられている。これらの締付け部２０ａ、２０ｂは、樹脂または金属によりＬ字状断面の帯状に形成され、両端部にそれぞれビス取付孔２１が設けられている。
また締付け部２０ａ、２０ｂは、各シート１６ａ、１６ｂに対して図３に示すように下面に当て板２２を介して複数のビス２３で装着されている。当て板２２はビス先端が突出して下方のすべり板１３に接触しないようにする役割も有している。
【００１６】
このように構成された防塵カバー１０は、使用に際しては２枚のシート１６ａ、１６ｂが対向する各一端縁１７ａ、１７ｂを、互いに重ね合わせただけの状態で接合され、また２つの締付け部２０ａ、２０ｂをすべり支承本体１４の外周に巻装して両端部を当接し、ビス取付孔２１にビス（図示せず）を取り付けることにより簡単に設置される。
【００１７】
設置された防塵カバー１０は、すべり支承本体１４を中心として水平に延びてすべり板１３の全面を覆うが、薄肉軽量であり、すべり支承本体１４と一体に動いてすべり板１３上をスムーズに摺動し、すべり板１３を傷付けることはない。ところで、すべり板１３は、図４に示されるように基礎１２に埋め込み固定されたベースプレート２５を介して設置されるが、交換可能なようにボルト２６によりベースプレート２５に着脱自在に装着されている。
【００１８】
図４はこのようなボルト２６に、防塵カバー１０の端部が引っ掛かった状態を示しているが、シート１６ａは、可撓性を備えていることから、端部が引っ掛かっても自在に湾曲し衝撃が緩和されて破損することがなく、また同端部の引っ掛かり状態が解除されると直ちに復元するものである。
【００１９】
図５に本実施例の防塵カバー１０を付けたすべり支承と、カバーを付けなかったすべり支承にそれぞれに加わる荷重と変位の履歴曲線を示している。同図中、細線が本実施例の防塵カバーありの、また太線がカバーなしの各結果を示している。
【００２０】
ここで、本実施例に係わる弾性すべり支承のゴム部外径は５００ｍｍ、滑り材の外径は２５０ｍｍであり、このすべり支承を、一辺１６００ｍｍの正方形のステンレス製すべり板に載せ、水平変形速度５ｍｍ／ｓｅｃ、鉛直荷重６８６ｋＮを付与した状態で、±２０ｃｍの変形を与えた。
図示のとおり、本発明の防塵カバーは、カバーなしの場合とほとんど変わらず、すなわち弾性すべり支承の特性に影響を与えることなく、地震時にも破損することなく防塵作用を行いうることが明らかである。
【００２１】
【発明の効果】
本発明のすべり支承用防塵カバーによれば、シートの各一端縁を、互いに重ね合わせの状態で分離自在に接合すると共に、各一端縁の中央部分に、すべり支承本体の外周に着脱自在に係止される締付け部を設けたから、すべり支承の点検等の際には容易に脱着できる。
また、シートが軽量でありかつ可撓性を備えているため、すべり支承の免震特性を損なうことなくすべり支承の移動に伴ってスムーズに応動し復元する効果を発揮しうる。
【図面の簡単な説明】
【図１】本発明に係わるすべり支承用防塵カバーの適用例を説明するための概念図である。
【図２】本発明の一実施例を示す斜視図である。
【図３】図１の一部を拡大して示す断面図である。
【図４】本発明の一実施例の作動状態を示す説明図である。
【図５】本実施例の防塵カバーを取り付けたすべり支承と、カバーを付けなかったすべり支承のそれぞれに加わる荷重と変位の関係を示す線図である。
【符号の説明】
１０  防塵カバー
１１  すべり支承
１２  基礎
１３  すべり板
１４  すべり支承本体
１５  滑り材
１６ａ、１６ｂ  シート
１８ａ、１８ｂ  半円形の開口
２０ａ、２０ｂ  締付け部
２１  ビス取付孔
２２  当て板
２３  ビス
２５  ベースプレート
２６  ボルト
【図１】
0003719656.tif 000002
【図２】
0003719656.tif 000003
【図３】
0003719656.tif 000004
【図４】
0003719656.tif 000005
【図５】
0003719656.tif 000006